(57)【要約】【課題】２層光ディスクに対して効率的にパディング処理を行う。【解決手段】  ビデオカメラ１０は、撮影画像データを、レーザ光が一方の面側からのみ入射される２つの記録層を有する書き換え可能な２層光ディスク１に対して記録する。ビデオカメラ１０は、２層光ディスク１が装着されている状態において初期化処理を行う命令が与えられた場合には、２層光ディスク１の第１の記録層の管理情報領域に対して管理情報を書き込む管理情報書き込み処理を行い、管理情報書き込み処理の終了後に２層光ディスク１の第２の記録層の情報記録領域に対して擬似データの書き込みを行うパディング処理を行い、パディング処理の終了後に初期化終了に伴う処理を行い、さらに、パディング処理中に中断要因が発生した場合には、擬似データの書き込みを中止し、初期化終了に伴う処理を行う。【選択図】図６
2007048350.tif 000002
【特許請求の範囲】
【請求項１】
レーザ光が一方の面側からのみ入射される２つの記録層を有する書き換え可能な２層光ディスクに対して記録を行う光ディスク記録装置において、
光ディスクが装着され、当該光ディスクに対して記録再生を行う記録再生部を備え、
前記記録再生部は、
前記書き換え可能な２層光ディスクが装着されている状態において初期化処理を行う命令が与えられた場合には、前記２層光ディスクの第１の記録層の管理情報領域に対して管理情報を書き込む管理情報書き込み処理を行い、管理情報書き込み処理の終了後に前記２層光ディスクの第２の記録層の情報記録領域に対して擬似データの書き込みを行うパディング処理を行い、パディング処理の終了後に初期化終了に伴う処理を行い、
さらに、前記パディング処理中に中断要因が発生した場合には、擬似データの書き込みを中止し、初期化終了に伴う処理を行うこと
を特徴とする光ディスク記録装置。
【請求項２】
前記第１の記録層は、レーザ光の入射側の面から見て手前側の層であり、
前記第２の記録層は、レーザ光の入射側の面から見て奥側の層であること
を特徴とする請求項１記載の光ディスク記録装置。
【請求項３】
管理情報が書き込まれる管理情報領域は、第１の記録層の内周側又は外周側の一方に設けられており、
前記記録再生部は、前記パディング処理時において、内周側又は外周側のうち前記管理情報領域が設けられている側から他方側へ順次に擬似データを書き込むこと
を特徴とする請求項１記載の光ディスク記録装置。
【請求項４】
前記２層光ディスクは、記録領域が径方向に複数のゾーンに分割されており、
前記記録再生部は、前記パディング処理時において、ゾーン毎に擬似データの書き込みを行い、中断要因が発生していない場合には、次のゾーンに擬似データの書き込みを行い、中断要因が発生した場合には、そのゾーンへの記録終了後又はそのゾーンへの記録を途中終了して、初期化終了に伴う処理を行うこと
を特徴とする請求項１記載の光ディスク記録装置。
【請求項５】
光ディスク記録装置において実行される光ディスクの初期化方法において、
レーザ光が一方の面側からのみ入射される２つの記録層を有する書き換え可能な２層光ディスクが装着されているか否かを判断し、
前記書き換え可能な２層光ディスクが装着されていると判断される場合には、前記２層光ディスクの第１の記録層の管理情報領域に対して管理情報を書き込む管理情報書き込み処理を行い、
管理情報書き込み処理の終了後に前記２層光ディスクの第２の記録層の情報記録領域に対して擬似データの書き込みを行うパディング処理を行い、
パディング処理の終了後に初期化終了に伴う処理を行い、
さらに、前記パディング処理中に中断要因が発生した場合には、擬似データの書き込みを中止し、初期化終了に伴う処理を行うこと
を特徴とする光ディスクの初期化方法。
【請求項６】
前記第１の記録層は、レーザ光の入射側の面から見て手前側の層であり、
前記第２の記録層は、レーザ光の入射側の面から見て奥側の層であること
を特徴とする請求項５記載の光ディスクの初期化方法。
【請求項７】
管理情報が書き込まれる管理情報領域は、第１の記録層の内周側又は外周側の一方に設けられており、
前記パディング処理時において、内周側又は外周側のうち前記管理情報領域が設けられている側から他方側へ順次に擬似データを書き込むこと
を特徴とする請求項５記載の光ディスクの初期化方法。
【請求項８】
前記２層光ディスクは、記録領域が径方向に複数のゾーンに分割されており、
前記パディング処理時において、ゾーン毎に擬似データの書き込みを行い、中断要因が発生していない場合には、次のゾーンに擬似データの書き込みを行い、中断要因が発生した場合には、そのゾーンへの記録終了後又はそのゾーンへの記録を途中終了して、初期化終了に伴う処理を行うこと
を特徴とする請求項５記載の光ディスクの初期化方法。
【請求項９】
レーザ光が一方の面側からのみ入射される２つの記録層を有する書き換え可能な２層光ディスクに対して記録が可能なカメラ一体型光ディスク記録装置において、
被写体を撮像して撮像信号を生成し、生成した撮像信号をビデオデータストリームに変換する撮像部と、
光ディスクが装着され、当該光ディスクに対して上記撮像部から出力されたビデオデータストリームの記録を行う記録部を備え、
前記記録部は、
前記書き換え可能な２層光ディスクが装着されている状態において初期化処理を行う命令が与えられた場合には、前記２層光ディスクの第１の記録層の管理情報領域に対して管理情報を書き込む管理情報書き込み処理を行い、管理情報書き込み処理の終了後に前記２層光ディスクの第２の記録層の情報記録領域に対して擬似データの書き込みを行うパディング処理を行い、パディング処理の終了後に初期化終了に伴う処理を行い、
さらに、前記パディング処理中に中断要因が発生した場合には、擬似データの書き込みを中止し、初期化終了に伴う処理を行うこと
を特徴とするカメラ一体型光ディスク記録装置。
【請求項１０】
前記第１の記録層は、レーザ光の入射側の面から見て手前側の層であり、
前記第２の記録層は、レーザ光の入射側の面から見て奥側の層であること
を特徴とする請求項９記載のカメラ一体型光ディスク記録装置。
【請求項１１】
管理情報が書き込まれる管理情報領域は、第１の記録層の内周側又は外周側の一方に設けられており、
前記記録部は、前記パディング処理時において、内周側又は外周側のうち前記管理情報領域が設けられている側から他方側へ順次に擬似データを書き込むこと
を特徴とする請求項９記載のカメラ一体型光ディスク記録装置。
【請求項１２】
前記２層光ディスクは、記録領域が径方向に複数のゾーンに分割されており、
前記記録部は、前記パディング処理時において、ゾーン毎に擬似データの書き込みを行い、中断要因が発生していない場合には、次のゾーンに擬似データの書き込みを行い、中断要因が発生した場合には、そのゾーンへの記録終了後又はそのゾーンへの記録を途中終了して、初期化終了に伴う処理を行うこと
を特徴とする請求項９記載のカメラ一体型光ディスク記録装置。
【請求項１３】
前記中断要因は、動画又は静止画の撮影開始のスタンバイとなった場合、又は、パワーオフボタンの操作入力がされた場合であること
を特徴とする請求項９記載のカメラ一体型光ディスク記録装置。
【発明の詳細な説明】
【技術分野】
【０００１】
本発明は、レーザ光が一方の面側からのみ入射される２つの記録層を有する書き換え可能な光ディスクに対してデータを記録する光ディスク記録装置、この光ディスクに初期化を行う初期化方法、並びに、この光ディスクを記録媒体として用いるカメラ一体型光ディスク記録装置に関するものである。
【背景技術】
【０００２】
近年、書き換え可能型の片側２層光ディスクが登場している。
【０００３】
片側２層光ディスクとは、図１８に示すように、一枚のディスクに記録層が２層設けられており、レーベルが貼り付けられる面とは逆の面からのみレーザ光が入射され、レーザ光の焦点をディスクの厚み方向にずらすことにより、それぞれの記録面に対してデータの記録及び再生が行われる光ディスクである。
【０００４】
なお、片側２層光ディスクにおいて、レーザ光の入射側の面から見て（すなわちピックアップ側から見て）手前側の記録層のことを以下第１の記録層（又はレイヤー＃０）という。また、レーザ光の入射側の面から見て奥側の記録層のことを以下第２の記録層（又はレイヤー＃１）という。
【０００５】
このような片側２層光ディスクでは、いわゆるオポジット記録方式での記録が望ましいとされている。
【０００６】
図１９は、オポジット記録を行った場合のディスクレイアウトを示している。
【０００７】
オポジット記録を行った場合、レイヤー＃０の最内周にリードインが配置され、リードインから外周側に続けて、ファイルシステムの管理情報やＤＶＤの管理情報が記録され、その後、これらの管理情報に続けて内周側から外周側に向かって実体データが記録されてゆく。レイヤー＃０の記録が終わると、レイヤー＃１に対する記録が行われる。レイヤー＃１では、レイヤー＃０とは逆方向に、外周側から内周側に向けて実体データが記録されてゆく。レイヤー＃１には、最後にファイルシステムのバックアップ用の管理情報（以下、ボーダークローズという。）が記録され、最内周にリードアウトが配置される。
【０００８】
ここで、片側２層光ディスクにおいて、オポジット記録を行った場合、レイヤー＃０の終了位置とレイヤー＃１の開始位置にそれぞれミドルゾーンと呼ばれる領域が形成される。ミドルゾーンは、８０ｍｍのＤＶＤディスクであれば半径７０ｍｍの位置から外側に設けられる。ミドルゾーンは、レイヤー＃０に対してはリードアウト、レイヤー＃１に対してはリードインのような機能を果たし、レイヤー＃０からレイヤー＃１に記録が亘る場合に、ドライブに対して折り返し地点を明示することができる。
【０００９】
以上がオポジット記録方式での記録方法である。
【００１０】
ところで、片側２層光ディスクの場合、レイヤー＃１（第２の記録層）に物理的に記録が行われていない部分がある時には、その未記録部分の同じ半径位置のレイヤー＃０（第１の記録層）に記録されている情報を、再生専用機により再生することが困難であるという課題がある。
【００１１】
このため、レイヤー＃１（第２の記録層）に未記録領域が存在する場合には、図２０に示すように、ファイナライズ時において、未記録領域になんらかのダミーのデータ（以下、擬似データという。）を記録する必要がある。この擬似データを記録する処理をパディング処理という。
【００１２】
なお、ファイナライズとは、再生専用機器により再生が可能となるように、再生専用フォーマットに規定された管理情報等の所定の情報を追加記録等する処理であり、通常、ディスク取り出し時等に行われる最終処理である。一旦、ファイナライズを行うと、その後、追加記録をすることができなくなるが、管理情報等の所定の情報を削除するアンファイナライズを行えば、その光ディスクに対して追加記録をすることが可能となる。
【発明の開示】
【発明が解決しようとする課題】
【００１３】
ところが、ファイナライズ時おいてパディング処理を行うと、未記録領域が少なければ特に問題はないが、図２１のように、レイヤー＃１のほとんどが未記録領域となっている場合には、パディング処理に非常に長い時間を費やしてしまうことなる。
【００１４】
本発明は、２層光ディスクに対して効率的にパディング処理を行うことができる光ディスク記録装置、光ディスクの初期化方法及びカメラ一体型光ディスク記録装置を提供することを目的とする。
【課題を解決するための手段】
【００１５】
本発明に係る光ディスク記録装置は、レーザ光が一方の面側からのみ入射される２つの記録層を有する書き換え可能な２層光ディスクに対して記録を行う光ディスク記録装置において、光ディスクが装着され、当該光ディスクに対して記録再生を行う記録再生部を備え、前記記録再生部は、前記書き換え可能な２層光ディスクが装着されている状態において初期化処理を行う命令が与えられた場合には、前記２層光ディスクの第１の記録層の管理情報領域に対して管理情報を書き込む管理情報書き込み処理を行い、管理情報書き込み処理の終了後に前記２層光ディスクの第２の記録層の情報記録領域に対して擬似データの書き込みを行うパディング処理を行い、パディング処理の終了後に初期化終了に伴う処理を行い、さらに、前記パディング処理中に中断要因が発生した場合には、擬似データの書き込みを中止し、初期化終了に伴う処理を行うことを特徴とする。
【００１６】
本発明に係る光ディスクの初期化方法は、光ディスク記録装置において実行される光ディスクの初期化方法において、レーザ光が一方の面側からのみ入射される２つの記録層を有する書き換え可能な２層光ディスクが装着されているか否かを判断し、前記書き換え可能な２層光ディスクが装着されていると判断される場合には、前記２層光ディスクの第１の記録層の管理情報領域に対して管理情報を書き込む管理情報書き込み処理を行い、管理情報書き込み処理の終了後に前記２層光ディスクの第２の記録層の情報記録領域に対して擬似データの書き込みを行うパディング処理を行い、パディング処理の終了後に初期化終了に伴う処理を行い、さらに、前記パディング処理中に中断要因が発生した場合には、擬似データの書き込みを中止し、初期化終了に伴う処理を行うことを特徴とする。
【００１７】
本発明に係るカメラ一体型光ディスク記録装置は、レーザ光が一方の面側からのみ入射される２つの記録層を有する書き換え可能な２層光ディスクに対して記録が可能なカメラ一体型光ディスク記録装置において、被写体を撮像して撮像信号を生成し、生成した撮像信号をビデオデータストリームに変換する撮像部と、光ディスクが装着され、当該光ディスクに対して上記撮像部から出力されたビデオデータストリームの記録を行う記録部を備え、前記記録部は、前記書き換え可能な２層光ディスクが装着されている状態において初期化処理を行う命令が与えられた場合には、前記２層光ディスクの第１の記録層の管理情報領域に対して管理情報を書き込む管理情報書き込み処理を行い、管理情報書き込み処理の終了後に前記２層光ディスクの第２の記録層の情報記録領域に対して擬似データの書き込みを行うパディング処理を行い、パディング処理の終了後に初期化終了に伴う処理を行い、さらに、前記パディング処理中に中断要因が発生した場合には、擬似データの書き込みを中止し、初期化終了に伴う処理を行うことを特徴とする。
【発明の効果】
【００１８】
本発明では、初期化時における管理情報書き込み処理の終了後に、２層光ディスクの第２の記録層の情報記録領域に対して擬似データの書き込みを行うパディング処理を行い、パディング処理中に中断要因が発生した場合には、擬似データの書き込みを中止し、初期化終了に伴う処理を行う。
【００１９】
このことにより本発明では、初期化時を利用して効率的にパディング処理を行うことができ、例えばファイナライズ時のユーザの待機時間を短くすることができる。
【発明を実施するための最良の形態】
【００２０】
本発明が適用されたカメラ一体型のＤＶＤ記録装置（以下、単にビデオカメラと呼ぶ。）について説明をする。
【００２１】
図１は、本発明が適用されたビデオカメラ１０の外観斜視図である。
【００２２】
ビデオカメラ１０は、図１に示すように、片手で持ち運びできる程度の小型の動画像撮像装置である。ビデオカメラ１０は、カメラ装置とＤＶＤ記録装置とが一体的に構成されている。ビデオカメラ１０は、動画像の撮影をして動画像信号及び音声信号を生成し、生成した動画像信号及び音声信号を所定の符号化方式で圧縮符号化し、光ディスクメディアであるＤＶＤディスク１に記録を行う。
【００２３】
（メディアの説明）
ビデオカメラ１０が用いているＤＶＤディスク１は、直径８０ｍｍのＤＶＤ＋ＲＷディスク又はＤＶＤ−ＲＷディスクである。
【００２４】
ＤＶＤディスク１は、書き換え可能型の片側２層光ディスクである。ＤＶＤディスク１は、オポジット記録方式でデータの記録がなされる。従って、図２に示すように、レイヤー＃０（第１の記録層）の内周側から外周側へ記録がされ、続いて、レイヤー＃１（第２の記録層）の外周側から内周側へ記録がされる。また、ＤＶＤディスク１には、セクタ毎に論理アドレス（ＬＳＮ）が設定されている。論理アドレス（ＬＳＮ）は、レイヤー＃０の最内周が０とされ、記録方向（レイヤー＃０の内周側→レイヤー＃０の外周側→レイヤー＃１の外周側→レイヤー＃１の内周側）に沿って昇順に設定され、レイヤー＃１の最外周が最大値（ＭＡＸ）とされている。
【００２５】
ＤＶＤディスク１は、ファイナライズを行うことにより“ＤＶＤフォーラム”により規定されている再生専用のＤＶＤ（ＤＶＤ-ＶＩＤＥＯ）とのフォーマットの互換性が取られる。
【００２６】
ＤＶＤディスク１の記録領域には、図３に示すように、記録方向に沿って、第１のＦＳエリア２と、ＶＭＧエリア３と、ＶＴＳエリア４と、第２のＦＳエリア５とが形成されている。
【００２７】
第１のＦＳエリア２及び第２のＦＳエリア５には、ＵＤＦ（ユニバーサルディスクフォーマット）ファイルシステムが記録される。ＵＤＦファイルシステムは、当該記録領域内に記録されている全ファイルの管理を行うための情報であり、各ファイルの開始位置及びサイズ、ファイル名、記録日時等の情報が記述されている。第１のＦＳエリア２はレイヤー＃０の最内周に形成されており、第２のＦＳエリア５はレイヤー＃１の最内周に形成されている。
【００２８】
ＶＭＧエリア３は、レイヤー＃０の内周側の第１のＦＳエリア２の外周側に形成されている。ＶＭＧエリア３には、ＤＶＤ-ＶＩＤＥＯ規格で規定されているＶＭＧ（Video Manager）が記録される。ＶＭＧは、ＶＴＳエリア４に記録されている各ＶＴＳの記録アドレス、ＶＴＳ数等の情報、及び、タイトルを再生するためのユーザインタフェース画面であるメニュー画面を表示及び制御させるためのメニューデータ（ＭＰＥＧ-２データム及び管理制御データ）が記録されている。
【００２９】
ＶＭＧは、具体的には、ＶＭＧＩＩＦＯ、ＶＭＧＭ＿ＶＯＢＳ、ＶＭＧＩＢａｃｋｕｐで構成されている。ＶＭＧＭ＿ＶＯＢＳには、メニューデータの実体データ（ＭＰＥＧ-２データ等）が記述されている。ＶＭＧＩは、メニューデータを再生するとともにメニュー画面を制御するための管理データが記述されている。ＶＭＧＩＢａｃｋｕｐは、ＶＭＧＩのバックアップデータである。
【００３０】
ＶＴＳエリア４は、レイヤー＃０のＶＭＧエリア３の外周側から、レイヤー＃１の第２のＦＳエリア５の内周側に亘って、形成されている。
【００３１】
ＶＴＳエリア４には、ＤＶＤ-ＶＩＤＥＯ規格で規定されているＶＴＳ（Video Title Set）等が記録される。ＶＴＳは、タイトルの管理単位であり、管理データと実体データとから構成されるタイトルセットとなる。
【００３２】
図４は、ＶＴＳ、タイトル、チャプタの関係を示す図である。
【００３３】
ＤＶＤ−ＶＩＤＥＯ規格では、記録するコンテンツを“タイトル”及び“チャプタ”という再生単位で管理をしている。“タイトル”とは、例えば、映画の１作品や音楽アルバムの１作品等の１つのコンテンツの再生単位を示す概念である。ＶＴＳは、このようなタイトルが複数集合した管理単位である。“チャプタ”とは、タイトル内を複数に分割した単位であり、検索等を容易にするために設定された単位である。
【００３４】
また、ＶＴＳエリア４の未記録領域には、パディング処理により（擬似データ）が記録される。
【００３５】
図５は、ＤＶＤディスク１の記録のためのゾーンを示した図である。
【００３６】
ＤＶＤディスク１は、図５に示すように、半径方向に複数のゾーンに分割されており、このゾーン単位で記録再生についての管理がされている。
【００３７】
（ビデオカメラの内部構成）
つぎに、ビデオカメラ１０の内部構成について説明をする。
【００３８】
図６は、ビデオカメラ１０の内部構成を示すブロック図である。
【００３９】
ビデオカメラ１０は、図６に示すように、カメラ部１１と、マイクロフォン部１２と、モニタ１３と、ＡＶ入出力部１４と、符号化/復号部１５と、ＤＶＤドライブ１６と、操作入力部１７と、ＰＣインタフェース部（ＰＣＩ/Ｆ部）１８と、データ制御部１９と、主制御部２０とを備えている。
【００４０】
カメラ部１１は、被写体からの光が入射される光学系、光学系を介して被写体像光を受光して画像信号に変換するイメージセンサ、イメージセンサにより生成された画像信号に対して各種信号処理を行ってデジタルの動画像信号を生成するカメラ信号処理部等を備えている。カメラ部１１から出力されたデジタルの動画像信号は、ＡＶ入出力部１４に供給される。
【００４１】
マイクロフォン部１２は、外部音を検出して音声信号に変換するマイクロフォン、検出された音声信号に対してデジタル化等の処理を行ってデジタルの音声信号を生成する音声処理回路を備えている。マイクロフォン部１２から出力されたデジタルの音声信号は、ＡＶ入出部１４に供給される。
【００４２】
モニタ１３は、例えば小型液晶モニタであり、ＡＶ入出力部１４から出力されたデジタルの動画像信号を表示する。モニタ１３は、例えば、カメラ部１１により撮影されている動画像をリアルタイムで表示してファインダとして機能したり、ＤＶＤディスク１に記録されている動画像を表示して再生用モニタとして機能したり、主制御部２０から出力されるユーザインタフェース画像を表示してユーザインタフェースとして機能したりする。
【００４３】
ＡＶ入出力部１４は、符号化/復号部１５と、カメラ部１１，マイクロフォン部１２，モニタ部１３との間の動画像及び音声の入出力制御処理を行う。
【００４４】
符号化/復号部１５は、静止画像及び動画像の符号化及び復号処理を行う。符号化/復号部１５は、静止画像エンコーダ/デコーダ２１と、動画像エンコーダ/デコーダ２２と、メモリ２３と、基準時刻発生部２４とを備えている。
【００４５】
静止画像エンコーダ/デコーダ２１は、静止画の撮影画像信号のフレーム内２次元空間圧縮/伸張、具体的にはＪＰＥＧによる圧縮/伸張を行う。動画像エンコーダ/デコーダ２２は、動画の撮影画像信号のフィールド/フレーム内２次元空間圧縮およびフィールド/フレーム間の時間軸を追加した３次元圧縮/伸張、具体的にはＭＰＥＧ２，ＭＰＥＧ４，Ｈ．２６４/ＭＰＥＧ４ＡＶＣによる圧縮/伸張を行う。メモリ２３は、静止画の圧縮/伸張、動画像の圧縮/伸張の際に使用するメモリ領域である。基準時刻発生部２４は、静止画像、動画像の圧縮の際に圧縮データストリーム中に付加する基準時刻を発生する。
【００４６】
ＤＶＤドライブ１６は、ＤＶＤディスク１の着脱が行われ、当該ＤＶＤディスク１に光記録及び再生を行う記録生成部１６-１を備えている。ＤＶＤドライブ１６は、ＤＶＤディスク１が記録再生部１６-１に装着されている状態の時に当該ＤＶＤディスク１にデータを記録する。ＤＶＤドライブ１６は、データ制御部１９に蓄積されたストリームデータがパケット化されて供給され、ＤＶＤディスク１に記録する。例えば、データ制御部１９に１０Ｍバイト程度蓄積されたところでまとめてＤＶＤディスク１に書き込む。
【００４７】
操作入力部１７は、録画開始ボタン、停止ボタン等を含んだユーザインタフェースであり、当該ビデオカメラ１０の筐体外部に設けられている。また、モニタ１３がタッチパネルで構成されていれば、当該タッチパネルからの操作入力の受付け等も行う。
【００４８】
ＰＣ Ｉ/Ｆ１８は、当該ビデオカメラ１０とコンピュータと接続するためのＵＳＢ等のインタフェースである。ＰＣ Ｉ/Ｆ１８にコンピュータが接続されると、ビデオカメラ１０はそのコンピュータのスレーブ機器として動作する。
【００４９】
データ制御部１９は、ＤＶＤドライブ１６と符号化/復号部との間のデータの転送の制御を行う。具体的には、データ制御部１９は、圧縮されたストリームデータをファイルシステム管理情報とＩＦＯデータとともにファイルとしてパックを最小単位で集合させたＶＯＢＵをＭＰＥＧの１ＧＯＰに対応させた、複数ＶＯＢＵ集合であるＲＵＶ（ＤＶＤアプリケーションフォーマットではパケットと呼んでいる）を生成し蓄積し、ＤＶＤディスク１への記録開始の待機をする。
【００５０】
主制御部２０は、当該ビデオカメラ１０の全体の制御を行う。主制御部２０は、プログラムメモリから動作開始とともに必要なプログラムを読み出して、実行を開始する。例えば、主制御部２０は、ＤＶＤアプリケーションプログラム２０-１、ファイルシステム制御プログラム２０-２、エンコード/デコード制御プログラム２０-３、ドライブ制御プログラム２０-４、及び、ユーザＩ/Ｆ制御プログラム２０-５等を読み出して、これらのプログラムに従って各部の制御を行う。
【００５１】
ＤＶＤアプリケーションプログラム２０-１は、ＤＶＤディスク１（ＤＶＤ＋ＲＷ，ＤＶＤ-ＲＷ）に対応する動画/静止画アプリケーションフォーマットのＩＦＯファイル、動画/静止画ストリームファイルのエンコード、生成、ストリームファイル生成等を行うプログラムである。
【００５２】
ファイルシステム制御プログラム２０-２は、ＵＤＦファイルシステム及びＶｉｄｅｏフォーマットの中間状態ファイルシステムデータの生成や管理をしている。
【００５３】
エンコード/デコード制御プログラム２０-３は、静止画像エンコーダ/デコーダ２１及び動画像エンコーダ/デコーダ２２の動作制御を行うプログラムである。
【００５４】
ドライブ制御プログラム２０-４は、ドライブインターフェース、例えばＡＴＡ／ＡＴＡＰＩインタフェースを制御して、ＤＶＤドライブ１６内のファーム情報、ドライブメディア状態、メディア記録再生の制御を行っている。
【００５５】
ユーザＩ/Ｆ制御プログラム２０-５は、操作入力部１７及びモニタ１３に表示するユーザインタフェース情報等の制御を行う。
【００５６】
以上のようなビデオカメラ１０の撮影動作は次のようになる。
【００５７】
ビデオカメラ１０は、操作入力部１７の録画開始ボタンがユーザにより押されると、カメラ部１１から出力されている動画像信号及び音声信号を、符号化/復号部１５がＭＰＥＧ-１，２等の所定の符号化方式で符号化する。主制御部２０は、管理制御情報を生成する。データ制御部１９は、符号化/復号部１５により生成された符号化データ及び主制御部２０により生成された管理情報を蓄積し、適宜ＤＶＤドライブ１６に転送する。ＤＶＤドライブ１６は、所定のフォーマットに従い、転送されてきたデータをＤＶＤディスク１に記録する。そして、ビデオカメラ１０は、操作入力部１７の停止ボタンがユーザにより押されると、撮影動作及び記録動作を停止する。
【００５８】
（初期化処理）
つぎに、ＤＶＤディスク１の初期化処理について説明をする。
【００５９】
初期化処理とは、ＤＶＤディスク１を初期化する処理であり、何らデータが記録されていないバージンディスクであれば新たにファイルシステム管理情報等を書き込む処理が行われ、また、既にデータが記録されているディスクであれば以前のファイルシステム管理情報等の上に初期状態の管理情報を上書きする処理となる。
【００６０】
初期化処理は、ＤＶＤディスク１をＤＶＤドライブ１６に装着している状態で、ユーザが操作入力部１７を操作して初期化開始を命令することにより、開始がされる。
【００６１】
以下、片側２層ディスクに対して初期化する際の処理を、図７のフローチャートを参照して説明をする。
【００６２】
ビデオカメラ１０の主制御部２０は、まず、ステップＳ１１において、装着されているディスクが、未ファイナライズ状態の書き換え可能型のディスク（未ファイナライズ状態のＤＶＤ＋ＲＷ又はＤＶＤ−ＲＷディスク）であるかを判断する。具体的には、主制御部２０は、ＡＴＡＰＩの標準で実装されているＭｏｕｎｔＦｕｊｉコマンドをＤＶＤドライブ１６に送出し、ＤＶＤドライブ１６から指定された様式でのコマンドレスポンスのパケットデータを受信し、その受信した情報に基づき判別している。
【００６３】
未ファイナライズ状態な書き換え可能型のディスクではない場合（つまり、既にファイナライズがされているディスクや再生専用のディスクである場合）には、当該初期化処理を終了する。
【００６４】
装着されているディスクが、未ファイナライズ状態な書き換え可能型のディスクである場合、主制御部２０は、続く、ステップＳ１２に進む。
【００６５】
続いて、ステップＳ１２において、ビデオカメラ１０の主制御部２０は、装着されているディスクが片側２層光ディスクであるか否かを判断する。具体的には、主制御部２０は、ＡＴＡＰＩ層、その上のファイルシステム層から、光ディスクのディスクプロファイルを確認して、片側２層光ディスクであるか否かを判別する。
【００６６】
装着されている光ディスクが片側２層光ディスクではないと判断した場合（ステップＳ１２のＮＯ）には、主制御部２０は、ステップＳ１３において、通常処理によりファイルシステム及びＩＦＯ管理情報の書き込みを行う。
【００６７】
装着されている光ディスクが片側２層光ディスクであると判断した場合（ステップＳ１２のＹＥＳ）には、主制御部２０は、続くステップＳ１４において、ファイルシステム及びＩＦＯ管理情報をそのディスクに書き込む。具体的には、主制御部２０は、ファイルシステムによる光ディスクメディアの物理的フォーマットとＵＤＦファイルシステムのファイル作成処理、ファイルオープン処理に必要な最低限のメディア管理イメージデータである論理レイアウト的フォーマットデータおよび、アプリケーションフォーマット処理として実ストリームデータがまだ記録されていない状態のＩＦＯファイルのファイルオープンに必要な最低限の管理情報を書き込む。なお、このファイルシステムとアプリケーションフォーマット初期化記録処理中は、たとえ操作者からの中断要求があっても中断要求を受け付けさせて処理中断すると光ディスクの初期化処理自体が失敗し、望ましくないメディア状態を招くので、先ず中断要求受付け禁止状態として本ステップＳ１４を実行し、ファイルシステムとアプリケーションフォーマットの管理情報書き込みの初期化処理が完了したのちに中断要求受付け許可状態に入れる。
【００６８】
続いて、ステップＳ１５において、ビデオカメラ１０の主制御部２０は、ディスクのアンマウント及びマウント処理を行う。アンマウント及びマウント処理を行うことによって、ファイルシステム及びＩＦＯ管理情報が確実に書き込めたかを判断することができる。
【００６９】
続いて、ビデオカメラ１０の主制御部２０は、ステップＳ１６において、先行パディング処理を行う。
【００７０】
そして、先行パディング処理が完了、又は、先行パディング処理が中断した場合には、続くステップＳ１７において、初期化終了処理を行い、当該初期化時における処理を終える。
【００７１】
図８（Ａ）は、ステップＳ１５の先行パディング処理の処理フローを示した図である。
【００７２】
ビデオカメラ１０の主制御部２０は、先行パディング処理（ステップＳ１５）中には次のステップＳ２１〜ステップＳ２３の処理を行う。
【００７３】
まず、ステップＳ２１において、ビデオカメラ１０の主制御部２０は、ユーザインタフェース制御部２５-５から中断要求が発行されているか否かを判断する。中断要求が発行されていれば（ステップＳ２１のＹＥＳ）、当該先行パディング処理を終了する。中断要求が発行されていなければ（ステップＳ２１のＮＯ）、続くステップＳ２２に進む。
【００７４】
中断要求は、図８（Ｂ）に示すように、動画の撮影開始のスタンバイ操作入力がユーザによりなされた場合（Ｓ２５）、静止画の撮影開始のスタンバイ操作入力がユーザによりなされた場合（Ｓ２６）、及び、パワーオフボタンの操作入力がユーザによりなされた場合（Ｓ２７）に、ユーザインタフェース制御部２５-５から発行される（Ｓ２８）。なお、中断要求は、先行パディング処理を終了させなければならない状態となった時に発行されるものであり、上記の３つの場合には限られない。
【００７５】
続いて、ステップＳ２２において、ビデオカメラ１０の主制御部２０は、レイヤー＃１（第２の記録層）に対してパディング処理を行う。このパディング処理とは、記録エリアにパディングデータ（擬似データ）を書き込む処理である。ここでは、ビデオカメラ１０の主制御部２０は、図９に示すように、レイヤー＃１の最外周のゾーンから、ゾーン単位で、内周側のゾーンに向かいパディングデータを書き込んでいく。
【００７６】
続いて、ビデオカメラ１０の主制御部２０は、図１０に示すように、レイヤー＃１のミドルゾーンまでパディングデータの書き込みを終えると、ステップＳ２３において、パディング完了と判断し、当該先行パディング処理を終了する。パディング完了をしていない場合には、ステップＳ２１に戻り、パディングデータの書き込みを続行する。
【００７７】
そして、ビデオカメラ１０の主制御部２０は、図１１に示すように、パディングデータの書き込み中に中断要求が発行された場合には、ステップＳ２１からループを抜けて、パディングデータの書き込みを途中終了する。
【００７８】
なお、どのゾーンまでパディング処理を行ったかが後でわかるように（ファイナライズ時にわかるように）、ビデオカメラ１０の主制御部２０は、先行パディング処理終了時にパディング済みのゾーン番号をＤＶＤディスク１のいずれかの記録領域に書き込んでおく（或いはシステムのメモリに記憶させておく。）。また、ゾーン途中で中断要求が発行された場合には、書き込み中のゾーンに対する処理を終えてから終了処理をさせてもよいし、そのゾーンに対する書き込みを未完了とし、その一つ前のゾーンまでのパディング処理を終えたものとして終了処理をさせてもよい。
【００７９】
以上のように、ビデオカメラ１０では、ＤＶＤディスク１の初期化処理にパディング処理を行うようにしている。さらに、このパディング処理中に撮影開始又はパワーオフがなされた場合にはパディング処理を中断するようにしている。
【００８０】
このことから、初期化処理後の余剰時間を利用してパディング処理を行うことができるので、ファイナライズ時のパディング処理の時間を短縮することができる。
【００８１】
なお、ビデオカメラ１０では、パディング処理の進捗状況を示すパディング書込み進捗バー表示を行っても良い。
【００８２】
また、先行パディング処理では、レイヤー＃１（第２の記録層）に対してのみパディング処理を行うものとしているが、レイヤー＃１の全てのゾーンにパディングデータを書き込みした後に、レイヤー＃０の外周側から内周側に向いパディングデータの書き込みを続行してもよい。
【００８３】
（ファイナライズ）
つぎに、ＤＶＤディスク１のファイナライズについて説明をする。
【００８４】
ファイナライズとは、再生専用機器により再生が可能となるように、再生専用フォーマットに規定された管理情報等の所定の情報を追加記録等する処理であり、通常、ディスク取り出し時等に行われる最終処理である。
【００８５】
以下、片側２層ディスクに対してファイナライズする際の処理を、図１２のフローチャートを参照して説明をする。
【００８６】
ファイナライズ前のＤＶＤディスク１の状態は、例えば、図１３に示すように、１又は複数の動画像チャプタが記録されている。動画像チャプタは、レイヤー＃０（第１の記録層）の内周側から記録されている。また、ファイナライズ前のＤＶＤディスク１には、先行パディング処理により記録された擬似データも、レイヤー＃１（第２の記録層）の外周側から内周側に向い記録されている。なお、残りの領域は、未記録領域（未パディング領域）である。
【００８７】
ビデオカメラ１０の主制御部２０は、まず、ステップＳ３１において、レイヤー＃０（第１の記録層）の内周側にファイルシステムを書き込み、続いて、ステップＳ３２においてＩＦＯ管理ファイルを書き込む。書込みが行われていない新品のディスクメディアのメニュー付きファイナライズ処理は、一般に、数分〜１０数分という長時間かかる場合が多いため、ビデオカメラでは途中の電池切れや不意の電源外れがあっても再度接続起動すれば残りを続行できることが望ましい。このため、ファイナライズ進捗ステップをマーク符号としてステップ毎にフラッシュメモリへのマーク符号データのバックアップを行い進捗管理しつつファイナライズ処理されるのが望ましい。ここではファイナライズが途中中断された場合にも中断再開可能に対応するために、ファイナライズの各進捗プロセスステップに入る前、完了して次に進む際に、フラッシュメモリにマーク符号データをバックアップしつつファイナライズ処理することによってファイナライズの中断再開が可能に構成されている。たとえば、ファイナライズ開始マークを開始直前にフラッシュメモリにバックアップしてからファイナライズ開始し、ビデオタイトル管理情報であるビデオタイトルセット（ＶＴＳ）のＩＦＯファイルとＢＵＰファイル作成開始マークをバックアップしてからＶＴＳのＩＦＯファイル書き込みを行い、ボリューム管理情報であるＶＭＧＩ作成開始マークをバックアップしてからＶＭＧのＩＦＯファイル生成し、ＶＭＧＩ作成完了マークをバックアップしてから、撮影記録チャプタの見出し画ボタン付きＤＶＤメニューページであるＩ−Ｐｉｃｔｕｒｅのメニューページ画像データをページ数分含むＶＭＧＭ＿ＶＯＢＳファイルを生成し、生成が済んだら全メニューページ作成終了マークをバックアップしてからＶＭＧのＢＵＰファイルを生成してファイナライズ最終ステップ開始マークをバックアップする。これによってファイナライズの各ステップの途中で予想外の強制中断事故があっても電源復旧すれば再開処理続行を可能に構成しておく。
【００８８】
続いて、主制御部２０は、ステップＳ３３において、初期化時の先行パディング処理時で行われたパディング済みのゾーンを、ファイルシステムから取得する。
【００８９】
続いて、主制御部２０は、ステップＳ３４において、レイヤー＃０（第１の記録層）の空き領域に対してパディングデータ（擬似データ）を書き込む。
【００９０】
ステップＳ３４まで処理が終了した時のＤＶＤディスク１の状態を図１４に示す。
【００９１】
続いて、ステップＳ３５において、主制御部２０は、レイヤー＃１（第２の記録層）に未パディング領域があるか否かを判断する。
【００９２】
未パディング領域がある場合には、ステップＳ３６において、レイヤー＃１（第２の記録層）の未パディング領域に対して、擬似データを書き込む。
【００９３】
ステップＳ３５において未パディング領域がないと判断し、又は、ステップＳ３６でパディングが全て完了したときは、ステップＳ３７において、ボーダークローズの書き込みを行う。また、必要な場合には、ミドルゾーンへの書き込みを行う。
【００９４】
ステップＳ３７まで処理が終了した時のＤＶＤディスク１の状態を図１５に示す。
【００９５】
以上のようなステップＳ３１からステップＳ３７の処理が終了すると、ファイナライズが完了する。
【００９６】
ビデオカメラ１０では、先行パディング処理を行うことによって、ステップＳ３６のパディング処理を短縮することができる。
【００９７】
（アンファイナライズ処理）
アンファイナライズとは、一旦ファイナライズした後のＤＶＤディスク１に対して追加して動画等の記録をするために、再生専用フォーマットに規定された管理情報等の所定の情報を消去する処理である。
【００９８】
具体的には、図１６に示すように、ファイルシステム、ＩＦＯ管理ファイル及びボーダークローズを消去することにより行う。
【００９９】
（動作例）
つぎに、ビデオカメラ１０の具体的な動作例について、図１７のタイミングチャートを参照して説明する。
【０１００】
図１７のタイミングチャートの（Ａ）はユーザ操作層で、ボタン操作を受け付ける信号処理を示している。図１７の（Ｂ）はユーザインタフェースの表示処理部の動作を示している。図１７の（Ｃ）及び（Ｄ）は、ＤＶＤアプリケーションの動作を示しており、（Ｃ）がＤＶＤアプリケーションの初期化制御部の動作、（Ｄ）がＩＦＯ（アプリケーションファイル生成変更削除実処理）部の動作を示している。図１７の（Ｅ）はファイルシステム制御部の動作を示している。図１７の（Ｆ）はエンコード制御処理を示している。図１７の（Ｇ）は、ドライブに対する制御処理を示している。図１７の（Ｈ）は、ビデオカメラ１０自身の状態を示している。
【０１０１】
まず、初期化開始ボタンが押されてからのタイムチャートを説明する。
【０１０２】
初期化開始ボタンが押されると、表示制御部は、初期化開始をモニタ表示させるとともに、ＤＶＤアプリケーションの初期化制御部に対して初期化開始コマンドを受け渡す。これを受けた初期化制御部は、ファイルシステム制御部にＦＳ初期データ生成／書込み命令信号を渡す。これを受けたファイルシステム制御部は、ＦＳ初期化データをドライブ制御部に受け渡し、ドライブ制御部は、このデータをＤＶＤディスク１に書き込む。また、ＤＶＤアプリケーションの初期化制御部は、ＩＦＯ部に対してＩＦＯ初期データ生成と書込み命令信号を渡す。これを受けたＩＦＯ部は、ファイルシステム制御部をファイル生成書込み手段として使ってＩＦＯ初期化データをＤＶＤディスク１に書き込む。
【０１０３】
ビデオカメラ１０では、ここまでの処理では中断要求は受け付け禁止状態にされている。
【０１０４】
続いて、ＤＶＤアプリケーションフォーマット部は、ＩＦＯ部、ファイルシステム制御部に対して初期化データの書き込まれたメディアのアンマウント及びマウント処理の実行命令を発する。
【０１０５】
アンマウント及びマウントが成功したら、初期化に必要な最低限のファイルデータの書き込みが成功されたことがわかる。
【０１０６】
続いて、ＤＶＤアプリケーションの初期化制御部は、表示制御部に対して、指定されたＶｉｄｅｏ、ＶＲのアプリケーションフォーマットを示す図形アイコンを表示して、フォーマットの成功したことを示す。また、ＤＶＤアプリケーションの初期化制御部は、中断要求の受付可能な状態に設定する。
【０１０７】
以上の状態においては、ＤＶＤディスク１には、レイヤー＃１のＬＳＮの最大側から（外周側から）ゾーン毎にパディングデータが記録されていく。
【０１０８】
なお、初期化制御部は、１ゾーンのパディングが済むごとに中断要求のフラグ信号が立っているかどうかを見る。つまり、ここにいたるまでのどこかでキャンセル要求入力があったことは、このキャンセル判断処理ポイントを通過するたびに、キャンセル要求フラグが立っているかどうかを見ることで中断するかどうかの処理制御を実施する。
【０１０９】
また、表示制御部は、フォーマット進捗バーをパディング処理がゾーン毎に進行するに従って、表示バーも伸びる形で表示してゆく。１００％の表示は、この場合、レイヤー＃１（第２の記録層）のΦ７０ｍｍの物理的位置までである。
【０１１０】
続いて、撮影開始ボタンが押されると、ＤＶＤアプリケーションは、撮影開始命令をエンコード部に発行する。また、表示制御部は、撮影ストリーム記録開始表示及び記録時間進表示を行う。
【０１１１】
エンコード部は、撮影を開始して、映像及び音声データのエンコードを開始してストリームファイルを生成し、一旦バッファリングし、数十秒期間毎にストリームファイルをＤＶＤディスク１に書き込む。
【０１１２】
また、初期化制御部は、撮影開始命令を受け付けて、すなわち、中断要求を受けて、パディング停止命令をファイルシステム制御部に受け渡す。ファイルシステム制御部は、現在書き込み中のゾーンに対するパディングデータの書き込みの終了を待ち、書き込みが完了通知をドライブ制御部から受けると、それを初期化制御部に返信する。
【０１１３】
初期化制御部は、書き込みの完了通知を受けて、フォーマットが成功したことを表示制御部に通知する。また、初期化制御部は、書き込みの完了通知を受けると、エンコード制御部に、バッファからＤＶＤディスク１への書き込み開始許可命令を与える。
【０１１４】
表示制御部は、フォーマットの成功を受けると、その旨を表示する。
【０１１５】
エンコード制御部は、書き込み許可命令を受けると、ＤＶＤディスク１に対してバッファイリングしているストリームファイルの書き込みを開始する。
【０１１６】
（効果等）
以上のように、記録再生が可能な２層メディアであるＤＶＤディスク１に対してファイナライズ処理時間の短縮が可能となって、特にビデオカメラにおける２層光ディスクのフォーマット初期化処理において、フォーマット開始して、次に撮影開始するまでの時間を有効活用してパディング記録を予め実施することによって、撮影終了の際のファイナライズ処理完了待ち時間の大きな時間短縮を図ることができる。
【０１１７】
なお、２層ＲＷメディアのアプリケーションフォーマット方法をもつビデオカメラ１０は、上述のＤＶＤビデオフォーマットの図示例にのみ限定されるものではなく、光ディスクのＢｌｕ−Ｒａｙ同じく青色レーザー記録、さらに現在研究されているホログラフィックレーザー記録の２層光ディスク記録においても、本発明の要旨を逸脱しない範囲内において種々変更を加え得ることは勿論である。
【図面の簡単な説明】
【０１１８】
【図１】本発明が適用されたビデオカメラの外観斜視図である。
【図２】前記ビデオカメラの記録媒体として用いられるＤＶＤディスクの記録方向及びアドレスを説明するためのレイアウトを示した図である。
【図３】前記ＤＶＤディスクに記録される情報を示した図である。
【図４】ＶＴＳ、タイトル、チャプタの関係を示す図である。
【図５】前記ＤＶＤディスクの記録のためのゾーンを示した図である。
【図６】前記ビデオカメラのブロック構成を示した図である。
【図７】初期化時の処理フローを示した図である。
【図８】先行パディング処理の処理フローを示した図である。
【図９】先行パディング処理を行っている時のＤＶＤディスクの状態を示した図である。
【図１０】先行パディング処理が完全に完了した後のＤＶＤディスクの状態を示した図である。
【図１１】先行パディング処理を途中中断した場合のＤＶＤディスクの状態を示した図である。
【図１２】ファイナライズの処理フローを示した図である。
【図１３】ファイナライズ前のＤＶＤディスクの状態を示した図である。
【図１４】ファイナライズの途中のＤＶＤディスクの状態を示した図である。
【図１５】ファイナライズ後のＤＶＤディスクの状態を示した図である。
【図１６】アンファイナライズ後のＤＶＤディスクの状態を示した図である。
【図１７】ビデオカメラの具体的な動作例を示したタイミングチャートである。
【図１８】片側２層光ディスクの構成を示した図である。
【図１９】オポジット記録方式について説明するためのディスクレイアウトを示す図である。
【図２０】パディング処理を説明するためのディスクレイアウトを示す図である。
【図２１】長時間にパディング処理を行わなくてはならない場合のディスクレイアウトを示す図である。
【符号の説明】
【０１１９】
１  ＤＶＤディスク、１０  ビデオカメラ
【図１】
2007048350.tif 000003
【図２】
2007048350.tif 000004
【図３】
2007048350.tif 000005
【図４】
2007048350.tif 000006
【図５】
2007048350.tif 000007
【図６】
2007048350.tif 000008
【図７】
2007048350.tif 000009
【図８】
2007048350.tif 000010
【図９】
2007048350.tif 000011
【図１０】
2007048350.tif 000012
【図１１】
2007048350.tif 000013
【図１２】
2007048350.tif 000014
【図１３】
2007048350.tif 000015
【図１４】
2007048350.tif 000016
【図１５】
2007048350.tif 000017
【図１６】
2007048350.tif 000018
【図１７】
2007048350.tif 000019
【図１８】
2007048350.tif 000020
【図１９】
2007048350.tif 000021
【図２０】
2007048350.tif 000022
【図２１】
2007048350.tif 000023